(57)【要約】【課題】電子ペーパーによる表示素子への水分の侵入を防止しつつ、薄く、配置の自由度を有し、容易に製造可能な表示装置を提供することを目的とする。【解決手段】電子ペーパーによる表示素子(１２０)と、表示素子を保持する基板(１１０)と、表示素子の視認側の面及び基板における表示素子を保持していない側の面とを連続的に被覆する防湿材(１３０)を有し、防湿材は基板における表示素子を保持している面上と、基板における表示素子を保持していない側の面上において、基板と接着されていることを特徴とする表示装置(１００)。【選択図】図２
2010049205.tif 000002
【特許請求の範囲】
【請求項１】
電子ペーパーによる表示素子と、
前記表示素子を保持する基板と、
前記表示素子の視認側の面と、前記基板における前記表示素子を保持していない側の面とを連続的に被覆する防湿材と、を有し、
前記防湿材は、前記基板における前記表示素子を保持している面上と、前記基板における前記表示素子を保持していない側の面上において、前記基板と接着されている、
ことを特徴とする表示装置。
【請求項２】
前記防湿材は、袋状に形成されている、請求項１に記載の表示装置。
【請求項３】
前記基板は、前記防湿材が接着されている側から、前記防湿材の外部に突出するように配置されている、請求項１又は２に記載の表示装置。
【発明の詳細な説明】
【技術分野】
【０００１】
本発明は表示装置に関し、特に電子ペーパーによる表示素子を用いた表示装置に関する。
【背景技術】
【０００２】
空気中の水分等の表示装置内への浸入を防止するために、表示装置が保護フィルムによって折り畳まれ被包された電気泳動表示装置が知られている（例えば、特許文献１参照）。
【０００３】
図１は、従来の電気泳動表示装置の断面図である。
【０００４】
図１（ａ）に示す電気泳動装置１では、２枚の保護フィルム８及び９によって表示装置４を被包している。表示装置４は、対向配置されたセグメント電極６を有する第１の基板２、共通電極７を有する第２の基板３との間に電気泳動層１３を配置する構成を有している。電気泳動層１３は、液相分散媒９と電気泳動粒子８を含む電気泳動分散液が封入された多数のマイクロカプセル１０から構成されている。その為、電気泳動装置１の両側端部１１及び１２で（耳部）、保護フィルムの接合部が生じ、それらの箇所から水分が表示装置４へ浸入してしまうという不具合があった。
【０００５】
図１（ｂ）に示す電気泳動装置２０では、１枚の保護フィルム２１を折り畳むようにして、上側から下側に渡って表示装置４を被包し、表示装置４の下部で保護フィルム２１の端部同士が接合されている。しかしながら、電気泳動装置２０では、表示装置４の図中下部において保護フィルム２１が重なって封止されているため、表示装置４の厚さが大きくなってしまうという不具合があった。また、表示装置４を駆動するための制御信号をセグメント電極６に印加する必要があるが、第２の基板２の左右方向は共に保護フィルム２１によって被包されていることから、制御信号を供給するための信号線は、図中の左右方向からは第２の基板２へ配線することができず、電気泳動装置２０を携帯機器内等に配置する際の自由度が低下してしまうという不具合があった。さらに、表示装置４の下部において保護フィルム２１の端部同士を封止しなければならないが、封止箇所の上部には表示装置４が存在することから、熱圧着等を行う場合には、熱圧着用の熱が表示装置４に及ぼす影響を考慮しなければならないという不具合があった。
【０００６】
【特許文献１】特開２００７−２３３３３７号公報（第１図及び図８）
【発明の開示】
【発明が解決しようとする課題】
【０００７】
そこで、本発明は、上記の問題点を解決することを目的とした表示装置を提供することを目的とする。
【０００８】
また、本発明は、電子ペーパーによる表示素子への水分の侵入を防止しつつ、薄く、配置の自由度を有し、容易に製造可能な表示装置を提供することを目的とする。
【課題を解決するための手段】
【０００９】
上記課題を解決するために、本発明に係る表示装置は、電子ペーパーによる表示素子と、表示素子を保持する基板と、表示素子の視認側の面及び基板における表示素子を保持していない側の面とを連続的に被覆する防湿材を有し、防湿材は基板における表示素子を保持している面上と、基板における表示素子を保持していない側の面上において、基板と接着されていることを特徴とする。
【００１０】
また、本発明に係る表示装置では、防湿材は、袋状に形成されていることが好ましい。
【００１１】
さらに、本発明に係る表示装置では、基板は、防湿材が接着されている側から、防湿材の外部に突出するように配置されていることが好ましい。
【発明の効果】
【００１２】
本発明によれば、電子ペーパーによる表示素子への水分の侵入を効果的に防止する表示装置を提供することが可能となった。また、本発明によれば、防湿材を表示装置の下部で２重に折りたたむ必要が無いため、表示装置全体をより薄く構成することが可能となった。さらに、従来技術と比較して、上下の防湿材を接着した耳部を短かくすることができ、有効表示部を大きくすることが可能となった。
【発明を実施するための最良の形態】
【００１３】
以下図面を参照して、本発明に係る表示装置について説明する。但し、本発明の技術的範囲はそれらの実施の形態に限定されず、特許請求の範囲に記載された発明とその均等物に及ぶ点に留意されたい。
【００１４】
図２は、本発明に係る表示装置１００の概略構成を示す図である。図２（ａ）は表示装置１００の上面図であり、図２（ｂ）は図２（ａ）のＡＡ´断面図であり、図２（ｃ）は図２（ａ）のＢＢ´断面図である。
【００１５】
表示装置１００は、ＦＰＣ（Flexible printed circuit）１１０上に、金属、カーボンペースト又は銀ペーストにより形成したセグメント電極１２５上に電子ペーパーによる表示素子としての電子インクシート１２０を実装し、防湿シート１３０を電子インクシート１２０の視認側の表面ＦＰＣ１１０の下部までを連続的に被覆するように配置した。
【００１６】
電子インクシート１２０は、セグメント電極１２５と接着するための接着層１２１、電気泳動層１２２、ＩＴＯから構成される共通電極１２３、共通電極１２３が形成されている可撓性の透明基板１２４等から構成される。透明基板１２４の共通電極１２３が形成されていない面側が、表示装置１００の視認側となる。電気泳動層１２２は、負に帯電した黒色の顔料粒子と正に帯電した白色の顔料粒子を含む電気泳動分散液が封入された多数のマイクロカプセル１２５から構成されている。電子インクシート１２０は、ＦＰＣ１１０の裏面側に形成した配線電極１１３を介して所定の表示用の制御電圧をセグメント電極１２５及び共通電極１２３間に印加することによって、共通電極１２３側に白色又は黒色の粒子を移動させて、所望の図形、文字等を含む画像を表示させることが可能に構成されている。なお、電子インクシート１２０では、マイクロカプセル中の粒子を移動させて一旦画像を表示させた後は、画像を保持するために常に電圧を印加する必要が無いため、消費電力を低く抑えることが可能である。
【００１７】
防湿シート１３０は、点線１３１で示した部分で折り返され、電子インクシート１２０を完全に被覆するように構成されている。防湿シート１３０の全面には接着剤があらかじめ塗布されている。防湿シート１３０で電子インクシート１２０を被覆した後、防湿シート１３０の上面側から全体的に熱圧着され、斜線１３２の部分で裏側の防湿シート１３０と接着される。
【００１８】
防湿シート１３０は、湿度遮断性能に優れた、クロロトリフロロエチレン（ＣＴＦＥ）ポリマーから構成される透明フィルム（アクラー（登録商標）フィルム）を利用した。しかしながら、透明性が高く、湿度遮断特性に優れたフィルムであれば、他の素材、例えば酸化物の蒸着膜をＰＥＴ（ポリエチレンテレフタレート）でサンドイッチ状に挟み込んだフィルム等、を利用することが可能である。
【００１９】
上述したように、表示装置１００では、防湿シート１３０によって、電子インクシート１２０の長辺側を完全に被覆しているので、電子インクシート１２０の動作に影響を与える湿度の影響を最小限に抑制することが可能となった。
【００２０】
表示装置１００では、図１に示す従来の表示装置に比べて、防湿シート１３０を表示装置の下部で２重に折りたたむ必要が無いため、表示装置１００全体をより薄く構成することが可能となった。
【００２１】
さらに、表示装置１００では、ＦＰＣ１１０の先端部１１１に、防湿シート１３０を熱圧着するための糊代部分（耳部）が必然的に存在するが、点線１３１で示される他方の端部は防湿シート１３０が折り返されているため、熱圧着するための糊代部分（耳部）が存在しない。特に、電子インクシート１２０の長辺側で折り返されているため、表示装置１００の全体の表面積に対する電子インクシート１２０の面積（表示部分）をより大きくすることが可能となり、防湿性を高めることができた。例えば、図１（ａ）に示す耳部が３ヶ所ある従来の表示装置１と比較すると、耳部を１箇所減らすことができるという効果がある。
【００２２】
図３は、本発明に係る他の表示装置２００の概略構成を示す図である。図３（ａ）は表示装置２００の上面図であり、図３（ｂ）は図３（ａ）のＣＣ´断面図であり、図３（ｃ）は図３（ａ）のＤＤ´断面図である。
【００２３】
表示装置２００は、ＦＰＣ２１０上に、金属、カーボンペースト又は銀ペーストにより形成したセグメント電極２２５上に電子ペーパーによる表示素子としての電子インクシート２２０を実装し、ＦＰＣ２１０上に電子インクシート２２０を実装したものを袋状の防湿材２３０内に配置して封止材２４０で密閉したものである。
【００２４】
電子インクシート２２０の構成は、前述した表示装置１００の電子インクシート１２０と同様に、セグメント電極２２５と接着するための接着層２２１、電気泳動層２２２、共通電極２２３及び透明基板２２４等から構成される。
【００２５】
防湿材２３０は、ゴム風船のように、袋状に形成されたものであり、クロロトリフロロエチレン（ＣＴＦＥ）ポリマーから構成される透明フィルム（アクラー（登録商標）フィルム）、又は酸化物の蒸着膜をＰＥＴ（ポリエチレンテレフタレート）でサンドイッチ状に挟み込んだフィルムによって構成されている。防湿材２３０の一端には、ゴム材で形成された口部２３１が設けられており、口部２３１からＦＰＣ２１０の先端部分２１１が突出している。口部２３１から、湿度成分が侵入する可能性があるため、シリコン系の接着剤によって形成される封止材２４０によって、防湿材２３０とＦＰＣ２１０の上面及び下面とが接着され、その間の空間が密閉されるように構成されている。ＦＰＣ２１０の先端部２１１は、防湿材２３０に被覆されていないので、この先端部分２１１に、電子インクシート２２０への画像表示のための制御電圧信号を印加するための複数の端子が構成されている（不図示）。ここでは、シリコン系の封止材２４０を用いて封止したが、口部２３１にホットメルト接着剤をあらかじめ塗布しておき、熱圧着で封止するようにしても良い。
【００２６】
上述したように、表示装置２００においても、袋状の防湿材２３０によって、電子インクシート２２０を完全に被覆しているので、電子インクシート２２０の動作に影響を与える湿度の影響を最小限に抑制することが可能となった。
【００２７】
表示装置２００では、図１に示す従来の表示装置に比べて、防湿材２３０を表示装置２００の下部で２重に折りたたむ必要が無いため、表示装置２００全体をより薄く構成することが可能となった。さらに、図３（ａ）に示す防湿材は袋状に形成され、熱圧着の必要が無いことから、熱圧着による電子インクシート２２０への影響を考慮することなく、容易に表示装置２００を製造することが可能となる。
【００２８】
さらに、表示装置２００では、防湿材２３０の口部２３１側にのみ封止材２４０が設けられているが、防湿材２３０は元々袋状に形成され、保護材２３０の口部２３１以外には、熱圧着するための糊代部分（耳部）が存在しない為、表示装置２００の全体の表面積に対する電子インクシート２２０の面積（表示部分）をより大きくすることが可能となった。
【００２９】
上記の説明において、電子ペーパーによる表示素子として電子インクシートを用いたが、電子インクシート以外にも、電気泳動表示シート、電気粉粒体表示シート等を利用することができる。
【産業上の利用可能性】
【００３０】
電子インクシート１２０を表示素子とした表示装置１００又は２００は、携帯電話、携帯型パーソナルコンピュータ、ＰＤＡ（Personal Digital Assistants）、電子手帳等の携帯機器の表示部分として利用することができる。
【図面の簡単な説明】
【００３１】
【図１】従来の電気泳動表示装置１の断面図である。
【図２】本発明に係る表示装置１００の概略構成を示す図である。
【図３】本発明に係る他の表示装置２００の概略構成を示す図である。
【符号の説明】
【００３２】
１００、２００    表示装置
１１０、２１０    ＦＰＣ
１２０、２２０    電子インクシート
１３０    防湿シート
２３０    防湿材
２３１    口部
２４０    封止材
【図１】
2010049205.tif 000003
【図２】
2010049205.tif 000004
【図３】
2010049205.tif 000005